(57)【要約】【課題】リサイクル率を高めて環境問題の発生をなくすることができ、しかも、組み立てが容易で強度的に優れ、軽量で安価な室内遊技機用のアルミ製外枠を提供する。【解決手段】上枠材２と両側の竪枠材３及び下枠材４をＬ型のコーナピース５ａ〜５ｄとアルミ製のビス６で結合して矩形枠に組み立てた室内遊技機用の外枠１であり、前記上枠材２と両側の竪枠材３、３が、中空となる角筒部７の外枠形成時における内周の後部に該当するコーナ部分の位置にリブ８を設けた断面形状のアルミ押出材を用いて形成され、前記下枠材４は下飾り部１１を共有する断面形状のアルミ押出材を用いて形成され、コーナピース５ａ〜５ｄもアルミ押出材を用いて形成されている。【選択図】図１
2006334306.tif 000002
【特許請求の範囲】
【請求項１】
上枠材と両側の竪枠材及び下枠材をＬ型のコーナピースとアルミ製締結具で結合して矩形枠に組み立てた室内遊技機用の外枠であり、前記上枠材と両側の竪枠材が、中空となる角筒部の外枠形成時における内周の後部に該当するコーナ部分の位置にリブを設けた断面形状のアルミ押出材を用いて形成され、前記下枠材は下飾り部を共有する断面形状のアルミ押出材を用いて形成され、コーナピースもアルミ押出材を用いて形成されている室内遊技機用の外枠。
【請求項２】
上記外枠の一方側縁における上下の位置に、遊技機を取付けるためのヒンジを対向状に固定した請求項１に記載の室内遊技機用の外枠。
【請求項３】
上記外枠の上枠材に固定した上部用ヒンジに、遊技機を配置する島に固定するビスの挿通孔が設けられている請求項２に記載の室内遊技機用の外枠。
【請求項４】
上記外枠を形成する上枠材と竪枠材、下枠材及びコーナピースがアルミニウム合金を用いて形成され、この外枠に放電用のアース線が接続されている請求項１乃至３の何れかに記載の室内遊技機用の外枠。
【発明の詳細な説明】
【技術分野】
【０００１】
この発明は、パチンコやスロット遊技機の外枠、更に詳しくは、総てをアルミ製とすることにより、リサイクル率を高めて環境問題の発生をなくすることができ、しかも、組み立てが容易で強度的に優れ、軽量で安価な室内遊技機用の外枠に関する。
【背景技術】
【０００２】
パチンコやスロットのような遊技機は、遊技機を配置する島に外枠を固定し、この外枠内に遊技機本体を前方への回動が可能となるよう取付けた構造を有し、従来のパチンコやスロット遊技機の外枠は、ラワン材などを用いた木製が一般的であるが、木材の使用は森林伐採やリサイクル時の大気汚染等による環境問題の原因となるため、近年、アルミ鋳物やアルミ押出型材を用いて外枠を形成することが行われている。
【発明の開示】
【発明が解決しようとする課題】
【０００３】
しかし、アルミ鋳物を用いた外枠は、全体の重量が重く、取扱いに不便であり、実用性に適していないという問題がある。
【０００４】
また、アルミ押出型材を用いた外枠は、鉄製ビスを使用して組み立てているため、リサイクル率が低下し、部材加工が複雑でコスト面からも問題がある。
【０００５】
そこで、この発明の課題は、リサイクル率を高めて環境問題の発生をなくすることができ、しかも、組み立てが容易で強度的に優れ、軽量で安価な室内遊技機用の外枠を提供することにある。
【課題を解決するための手段】
【０００６】
上記のような課題を解決するため、この発明は、上枠材と両側の竪枠材及び下枠材をＬ型のコーナピースとアルミ製締結具で結合して矩形枠に組み立てた室内遊技機用の外枠であり、前記上枠材と両側の竪枠材が、中空となる角筒部の外枠形成時における内周の後部に該当するコーナ部分の位置にリブを設けた断面形状のアルミ押出材を用いて形成され、前記下枠材は下飾り部を共有する断面形状のアルミ押出材を用いて形成され、コーナピースもアルミ押出材を用いて形成されている構成を採用したものである。
【０００７】
ここで、上記上枠材と両側の竪枠材は、リブによる補強によって垂直方向の強度が向上するだけでなく、薄肉による軽量化と材料の使用量削減を図ることができ、開口面積を従来の木製枠に比べ５％程度広くでき、遊技機の大型化に対しても有効である。
【０００８】
また、下枠材は下飾り部をアルミ化することにより、安価にデザインができることになる。
【０００９】
上記外枠の一方側縁における上下の位置に、遊技機を取付けるためのヒンジを対向状に固定したり、上記外枠の上枠材に固定した上部用ヒンジに、遊技機を配置する島に固定するビスの挿通孔が設けられている構造とすることができる。
【００１０】
上記ヒンジは、遊技機メーカのものをそのまま使用することができ、外枠に対して着脱自在とすることで、別メーカとの取り換えも自由であり、再利用も可能になる。
【００１１】
しかも、上部用ヒンジを島に固定することにより、近年大型化した遊技機の前方への倒れを、外枠のみでなく、島とともに支えることができ、更に、下部用ヒンジは、下飾り部を共有する強靭な下枠材に固定することにより、強固な取付け強度が得られることになる。
【００１２】
また、上記外枠を形成する上枠材と竪枠材、下枠材及びコーナピースがアルミニウム合金を用いて形成され、この外枠に放電用のアース線が接続されているようにすることができる。
【発明の効果】
【００１３】
この発明によると、上枠材と両側の竪枠材が、中空となる角筒部の外枠形成時における内周の後部に該当するコーナ部分の位置にリブを設けた断面形状のアルミ押出材を用いて形成され、前記下枠材は下飾り部を共有する断面形状のアルミ押出材を用いて形成され、コーナピースもアルミ押出材を用いて形成されているので、外枠のリサイクル率が１００％になり、リサイクル率を高めることで資源の再利用化が図れ、環境問題の発生をなくすることができる。
【００１４】
また、上枠材と両側の竪枠材がコーナ部分の位置にリブを備えているので、垂直方向の強度が向上し、その分薄肉化が図れることで使用材料の削減が可能になり、軽量化と材料コストの低減を図ることができる。
【００１５】
更に、上部用ヒンジを島に固定することにより、近年大型化した遊技機の前方への倒れを、外枠のみでなく、島とともに支えることができ、また、下部用ヒンジは、下飾り部を共有する強靭な下枠材に固定することにより、強固な取付け強度が得られることになると共に、島にも荷重を分散させることにより竪枠材の薄肉化が図れ、特に竪枠材の見付幅が最小限で設計可能となり、近年の遊技機の表示装置、役物等の大型化に対応することができる。
【発明を実施するための最良の形態】
【００１６】
以下、この発明の実施の形態を添付図面に基づいて説明する。
【００１７】
図１において、パチンコやスロット遊技機の外枠１は、上枠材２と両側の竪枠材３、３及び下枠材４をＬ型のコーナピース５ａ〜５ｄと締結具であるビス６で結合して矩形枠に組み立てられ、これら構成部材である上枠材２、竪枠材３、下枠材４、コーナピース５ａ〜５ｄ、ビス６やリベット等の締結具の全ては、材料にアルミニウムを用いて形成されている。
【００１８】
ここで、上記遊技機であるパチンコは、遊技玉が各部所で擦れ合い、静電気が発生することになり、この静電気を枠体に帯電させやすくするために、上記の各アルミ部材は、アルミニウム合金生材（Ａ６０６３ｓ、Ａ６０６１ｓ）を使用し、かつ、外枠１には、図示省略したが、適宜位置に自然放電させるためのアース線が接続されている。
【００１９】
上記上枠材２と両側の竪枠材３、３は、図２等で示すように共に等しく、中空となる扁平な角筒部７の外枠１を形成した時における内周の後部に該当するコーナ部分の位置にリブ８を設けた断面形状を有するアルミ押出材を用いて形成されている。
【００２０】
上記下枠材４は、図４と図５のように、竪枠材３の角筒部７と等しい断面の角筒部９と、この角筒部９の前縁から連なって立ち上がり、上端部に後方へ張り出した上角筒部１０を有する下飾り部１１を共有する断面形状を有するアルミ押出材を用いて形成されている。
【００２１】
上記コーナピース５ａ〜５ｄは、両側をそれぞれ角筒部の内部に挿入する板厚と幅のＬ字形となり、Ｌ字形アルミ押出材を用い、これを所定の幅に切断することによって形成されている。
【００２２】
図２と図３は、外枠１において、正面から見て左側上部隅位置の上枠材２と竪枠材３の接続構造を示し、上枠材２と竪枠材３の角筒部７、７の端部をコーナピース５ａの端部に差込み、角筒部７、７のビス挿通孔１２からコーナピース５ａのねじ孔１３にビス６をねじ込むことにより、上枠材２と竪枠材３を直角に結合する。
【００２３】
この左側上部隅用のコーナピース５ａは、両側を他のコーナピース５ｂ〜５ｄよりも長く形成し、その屈曲部分が接続状態で上枠材２と竪枠材３から露出させるようになっている。
【００２４】
上記コーナピース５ａの上枠材２と竪枠材３から露出する部分の外面に、遊技機を取付けるための上部用ヒンジ１４が固定される。
【００２５】
この上部用ヒンジ１４は、上板１４ａと側板１４ｂがコーナピース５ａの外面に重なる直角に屈曲し、上板１４ａと側板１４ｂをコーナピース５ａの外面に重ねた状態で、上板１４ａと側板１４ｂのビス挿通孔１５からコーナピース５ａのねじ孔１６にビス１７をねじ込むことにより固定され、上部用ヒンジ１４の上板１４ａとコーナピース５ａの重なり部分には、遊技機を配置する島にねじ込むビス１８の挿通孔１９が設けられ、このビス１８によって外枠１の左側上部隅を島に固定するようになっていると共に、コーナピース５ａから前方に突出する上板１４ａの下面には、遊技機の取付け軸２０が突設されている。
【００２６】
なお、上枠材２の右側端部寄りの位置にも、図１のように、遊技機を配置する島にねじ込むビスの挿通孔２１が設けられ、上枠材２を島に固定するようになっている。
【００２７】
図４と図５は、外枠１において、正面から見て左側下部隅位置の竪枠材３と下枠材４の接続構造を示し、竪枠材３の角筒部７の下端部と下枠材４の角筒部９の端部をコーナピース５ｂの端部に差込み、角筒部７と９のビス挿通孔２２からコーナピース５ｂのねじ孔２３にビス６をねじ込むことにより、竪枠材３と下枠材４を直角に結合する。
【００２８】
また、竪枠材３の角筒部７と下枠材４の上角筒部１０を、竪枠材３の孔２４から上角筒部１０のビス溝にねじ込むタッピングビス２５により結合する。
【００２９】
この左側下部隅の結合において、竪枠材３の角筒部７の下端部と下枠材４の収まりは、竪枠材３の角筒部７の下端部を、下枠材４の角筒部９の高さ分だけ外側面を残して切り欠き、下枠材４の上角筒部１０を竪枠材３の角筒部７の分だけ切り欠き、下飾り部１１の立ち上がり部分が竪枠材３の前面に重なるようにしている。
【００３０】
上記左側下部隅部には、遊技機を取付けるための下部用ヒンジ２６が固定され、この下部用ヒンジ２６は、下板２６ａと側板２６ｂが竪枠材３と下枠材４の外面に重なる直角に屈曲し、下板２６ａと側板２６ｂを竪枠材３と下枠材４の外面に重ねた状態で、下板２６ａの孔２７から下枠材４にねじ込んだビス２８と、竪枠材３の孔２９から側板２６ｂにねじ込んだビス３０によって固定され、下板２６ａの前方に突出する部分の上面には、上記上部用ヒンジ１４の取付け軸２０と同軸心となる遊技機の取付け軸３１が突設されている。
【００３１】
上記した上部用ヒンジ１４と下部用ヒンジ２６は、遊技機のメーカによってそれぞれ機構が異なるため、コーナピース５ａ、５ｂに対してビスで取外し可能とすれば、どのメーカのヒンジでも取付けが可能となり、このヒンジを別メーカ用に取り換えれば外枠１に別のメーカの遊技機も取付けることができる。
【００３２】
また、上部用ヒンジ１４と下部用ヒンジ２６は、一般的にステンレス製であるが、これをコーナピース５ａ、５ｂから取外せば、外枠１は構成部材が全てアルミとなり、リサイクル率が１００％になる。
【００３３】
図６は、外枠１において、正面から見て右側上部隅位置の上枠材２と竪枠材３の接続構造を示し、上枠材２と竪枠材３の角筒部７、７の端部をコーナピース５ｃの端部に差込み、角筒部７、７のビス挿通孔３２からコーナピース５ｃのねじ孔３３にビス６をねじ込むことにより、上枠材２と竪枠材３を突合せ状態で直角に結合する。
【００３４】
図７と図８は、外枠１において、正面から見て右側下部隅位置の竪枠材３と下枠材４の接続構造を示し、竪枠材３と下枠材４の角筒部７と９の端部をコーナピース５ｄの端部に差込み、角筒部７と９のビス挿通孔３４からコーナピース５ｄのねじ孔３５にビス６をねじ込むことにより、下枠材４と竪枠材３を突合せ状態で直角に結合すると共に、竪枠材３の角筒部７と下枠材４の上角筒部１０を、竪枠材３の孔３６から上角筒部１０のビス溝にねじ込むタッピングビス３７により結合する。
【００３５】
図１のように、外枠１において、正面から見て右側竪枠材３の内面側で上下の位置に、遊技機に対するアルミ製ストッパー金具３８が固定されている。
【００３６】
図９と図１０は、上枠材２と両竪枠材３、３の接続に用いるコーナピース５ａと５ｃの他の例を示し、外枠１において、正面から見て左側上部隅位置の上枠材２と竪枠材３の接続を行うアルミ製のコーナピース５ａは、図９のように、幅が角筒部７の外形幅と等しいＬ字形に形成され、上枠材２と竪枠材３の角筒部７、７の端部は、コーナピース５ａの端部が嵌まるに両側に切り欠き３９を設け、角筒部７、７のビス挿通孔４０からコーナピース５ａのねじ孔４１にビス６をねじ込むことにより、上枠材２と竪枠材３を直角に結合するものであり、この左側上部隅用のコーナピース５ａの上枠材２と竪枠材３から露出する部分の外面に、遊技機を取付けるための上部用ヒンジ１４が固定される。
【００３７】
図１０は、外枠１において、正面から見て右側上部隅位置の上枠材２と竪枠材３の接続を行うアルミ製のコーナピース５ｃを示し、幅が角筒部７の外形幅と等しいＬ字形で、屈曲部に角型ブロック４２を設けて形成され、上枠材２と竪枠材３の角筒部７、７の端部は、コーナピース５ｃの端部が嵌まるように両側に切り欠き４３を設け、上枠材２と竪枠材３の角筒部７、７の端部を角型ブロック４２に当接させた状態で、角筒部７、７のビス挿通孔４４からコーナピース５ｃのねじ孔４５にビス６をねじ込むことにより、上枠材２と竪枠材３を直角に結合するものである。
【００３８】
図１１は、竪枠材３と上枠材２の接続に用いるコーナピース５ａ又は５ｃの更に他の例を示し、コーナピース５ａ又は５ｃの一面に切り欠き４６を設け、上枠材２と竪枠材３の角筒部７、７にコ字状の切れ目を施し、上枠材２と竪枠材３の角筒部７、７をコーナピース５ａ又は５ｃに挿入した後、切れ目で囲まれた部分を切り欠き４６内に折り込んで係合片４７とすることにより、上枠材２と竪枠材３を直角に結合するものである。
【００３９】
なお、各コーナピース５ａ〜５ｄによる上枠材２と竪枠材３及び下枠材４の結合部分の固定は、図示のようなビス６に代えて、打ち込みピンを用いたり、接着剤による固定や電気スポット溶接等の手段を採用するようにしてもよい。
【００４０】
この発明の外枠は、上記のような構成であり、図１のように、所定の長さに切断した上枠材２と両側の竪枠材３、３及び下枠材４をＬ型のコーナピース５ａ〜５ｄとビス６を用いて結合することで矩形状の外枠１を組み立て、この外枠１における正面から見て左側上下の隅部に上部用ヒンジ１４と下部用ヒンジ２６をビスで固定し、右側竪枠材の内面で上下の位置にストッパー金具３８を固定する。
【００４１】
上記のようにして組み立てた外枠１は、遊技機を設置する島の枠状部分に嵌め込み、上部用ヒンジ１４と上枠材２の右側端部を島にねじ込むビスで固定し、この外枠１内に遊技機を嵌め込み、吊り元側に位置する上部用ヒンジ１４と下部用ヒンジ２６の取付け軸２０と３１を利用して遊技機を回動可能に取付け、ストッパー金具３８への当接によって遊技機は外枠１内に収まることになる。
【００４２】
なお、遊技機には吊り元側に倒れ防止用のＬ型材が組み込まれているため、遊技機を閉めた時にＬ型材が竪枠材に当るのを防止するため、吊り元側竪枠材３には、図５（ｃ）のように、内面側にＬ型材を逃がすための切り込み４８が設けてある。
【００４３】
上記外枠１は、上部用ヒンジ１４と下部用ヒンジ２６を取外すことにより、構成部材が全てアルミ製となり、不要となった外枠１はそのままアルミ溶解炉に良質なスクラップとして投入し、再び押出成形材料に再生でき、リサイクル率を１００％に高めることで資源の再利用化が図れ、環境問題の発生をなくすることができると共に、外枠１の上部を島に固定することにより、外枠１のみでなく島と共に遊技機の重量を支えることができ、近年大型化した遊技機の自重と開時の重量による倒れ防止対策となる。
【００４４】
また、上枠材２と両側の竪枠材３、３は、リブ８による補強によって垂直方向の強度が向上するだけでなく、薄肉による軽量化と材料の使用量削減を図ることができる。
【００４５】
更に、下部用ヒンジ２６は、下飾り部１１を共有する強靭な下枠材４に固定することにより、強固な取付け強度が得られることになると共に、島にも荷重を分散させることにより竪枠材３の薄肉化が図れ、特に竪枠材３の見付幅が最小限で設計可能となり、開口面積を従来の木製枠に比べ５％程度広くでき、近年の遊技機の表示装置、役物等の大型化に対応することができる。
【００４６】
上記下枠材４は下飾り部１１を一体に設けてアルミ化することにより、安価にデザインができることになると共に、遊技機の下部支持金具を兼用することになる。
【図面の簡単な説明】
【００４７】
【図１】アルミ製外枠の全体形状を示す斜視図
【図２】アルミ製外枠の左側上部隅部の接続構造を示す分解斜視図
【図３】アルミ製外枠の左側上部隅部の接続構造を示す接続状態の縦断正面図
【図４】アルミ製外枠の左側下部隅部の接続構造を示す分解斜視図
【図５】（ａ）はアルミ製外枠の左側下部隅部の接続構造を示す接続状態の縦断正面図、（ｂ）は同縦断側面図、（ｃ）は同横断平面図
【図６】（ａ）はアルミ製外枠の右側上部隅部の接続構造を示す分解斜視図、（ｂ）は同接続状態の縦断正面図
【図７】アルミ製外枠の右側下部隅部の接続構造を示す分解斜視図
【図８】アルミ製外枠の右側下部隅部の接続構造を示す接続状態の縦断正面図
【図９】（ａ）はアルミ製外枠の左側上部隅部の接続構造を示す他の例の分解斜視図、（ｂ）は同接続状態の正面図
【図１０】（ａ）はアルミ製外枠の右側上部隅部の接続構造を示す他の例の分解斜視図、（ｂ）は同接続状態の正面図
【図１１】コーナピースと上枠材及び竪枠材の結合構造の他の例を示す一部切り欠き正面図
【符号の説明】
【００４８】
１          外枠
２          上枠材
３          竪枠材
４          下枠材
５ａ〜５ｄ  コーナピース
６          ビス
７          角筒部
８          リブ
９          角筒部
１０        上角筒部
１１        下飾り部
１２        ビス挿通孔
１３        ねじ孔
１４        上部用ヒンジ
１５        ビス挿通孔
１６        ねじ孔
１７        ビス
１８        ビス
１９        挿通孔
２０        取付け軸
２１        挿通孔
２２        ビス挿通孔
２３        ねじ孔
２４        孔
２５        タッピングビス
２６        下部用ヒンジ
２７        孔
２８        ビス
２９        孔
３０        ビス
３１        取付け軸
３２        ビス挿通孔
３３        ねじ孔
３４        ビス挿通孔
３５        ねじ孔
３６        孔
３７        タッピングビス
３８        アルミ製ストッパー金具
３９        切り欠き
４０        ビス挿通孔
４１        ねじ孔
４２        角型ブロック
４３        切り欠き
４４        ビス挿通孔
４５        ねじ孔
４６        切り欠き
４７        係合片
【図１】
2006334306.tif 000003
【図２】
2006334306.tif 000004
【図３】
2006334306.tif 000005
【図４】
2006334306.tif 000006
【図５】
2006334306.tif 000007
【図６】
2006334306.tif 000008
【図７】
2006334306.tif 000009
【図８】
2006334306.tif 000010
【図９】
2006334306.tif 000011
【図１０】
2006334306.tif 000012
【図１１】
2006334306.tif 000013